(57)【要約】【課題】収納室における中間ダクトの上方域の下部が局所的に低温になってしまうことを抑制すること。【解決手段】ケース本体１０の内部に収納室１２と区画して設けられ、吸い込まれた収納室１２の空気を蒸発器４１で冷却して収納室１２に吹き出す第１空気風路と、ケース本体１０の内部に収納室１２と区画しつつ第１空気風路と一部が共通する態様で設けられ、吸い込まれた収納室１２の空気を収納室１２に吹き出す第２空気風路と、第１空気風路を遮断する態様で収納室１２に設けられ、蒸発器４１により冷却された空気を吹き出す中間ダクト５０とを備え、駆動することにより第２空気風路を通過する空気の一部を加熱するヒータ６０と、駆動することによりヒータ６０により加熱された空気の一部を、第１空気風路における中間ダクト５０に遮断された部位の下流側を通過させる態様で中間ダクト５０に向けて送出する送出ファン７０を備えている。【選択図】図１
2017129345.tif 000002
【特許請求の範囲】
【請求項１】
ケース本体の内部に形成され、かつ背面を構成する背面パネルに複数の孔部が形成された収納室と、
前記ケース本体の内部に前記収納室と区画されて設けられ、吸い込まれた前記収納室の内部空気が自身に配設された冷却手段により冷却されて前記収納室に吹き出されることにより、前記収納室の前面にエアカーテンが形成される第１空気風路と、
前記ケース本体の内部に前記収納室と区画されつつ前記第１空気風路と一部が共通する態様で設けられ、吸い込まれた前記収納室の内部空気が前記収納室に吹き出されることで、前記収納室の前面にエアカーテンが形成される第２空気風路と、
前記第１空気風路を遮断する態様で前記背面パネルに形成された孔部を貫通して前記収納室に着脱可能に設けられ、かつ前記収納室に設けられた場合において前記冷却手段により冷却された空気が後端部に設けられた導入口より導入されて前端部に設けられた中間吹出口より吹き出されることにより、自身の下方域の前面にエアカーテンが形成される中間ダクトと
を備え、
前記収納室における前記中間ダクトの上方域と下方域とを異なる温度域とするショーケースにおいて、
駆動することにより前記第２空気風路を通過する空気の一部を加熱する加熱手段と、
駆動することにより前記加熱手段により加熱された空気の一部を、前記第１空気風路における前記中間ダクトに遮断された部位の下流側を通過させる態様で該中間ダクトに向けて送出する送出手段と
を備えたことを特徴とするショーケース。
【請求項２】
前記送出手段は、前記中間ダクトが前記収納室から離脱された場合において、前記第１空気通路及び前記第２空気通路での空気の通過を阻害しない態様で、予め決められた時間に間欠的に又は継続的に駆動することを特徴とする請求項１に記載のショーケース。
【発明の詳細な説明】
【技術分野】
【０００１】
本発明は、商品陳列棚に陳列された商品を少なくとも２つの温度に保持するショーケースに関するものである。
【背景技術】
【０００２】
従来、商品陳列棚に陳列された商品を少なくとも２つの温度に保持するショーケースとして、次のようなものが知られている。
【０００３】
例えば、前面開口が形成されたケース本体の内部の収納室に複数の商品陳列棚が上下方向に沿って並ぶよう設けられており、それぞれの商品陳列棚に商品が載置されて陳列されている。また、ケース本体の内部であって収納室外となる個所には、吸込口を通じて吸い込んだ空気の風路が２つ形成されており、一方の空気風路を通過した空気は、収納室上部に形成された上部吹出口より吹き出される。他方の空気風路には、通過する空気を冷却する蒸発器が設置されており、この蒸発器で冷却された空気は、収納室の中間高さ位置に設けられた中間ダクトを通じて中間吹出口より吹き出される。上部吹出口から吹き出された空気、並びに中間吹出口より吹き出された空気は、吸込口に吸い込まれることによりそれぞれケース本体の前面開口にエアカーテンを形成している。
【０００４】
このようなショーケースでは、上部吹出口より吹き出される空気により温度が調整される域と、中間吹出口より吹き出される空気により温度が調整される域との２つの異なる温度帯域が収納室に形成され、それぞれの温度帯域において商品陳列棚に陳列された商品を所望の温度状態に調整するようにしている。より詳細に説明すると、中間吹出口より吹き出される空気により、中間ダクトより下方域を低温度帯域として該域にある商品陳列棚に陳列される商品を冷却し、中間ダクトより上方域を高温度帯域として該域にある商品陳列棚に陳列される商品を所望の温度に調整している（例えば、特許文献１参照）。
【先行技術文献】
【特許文献】
【０００５】
【特許文献１】特許第４６３６５０５号公報
【発明の概要】
【発明が解決しようとする課題】
【０００６】
ところで、上述したショーケースでは、中間ダクトより下方域を低温度帯域とし、該中間ダクトより上方域を高温度帯域としていいたために、高温度帯域の下部では、低温度帯域からの冷気の冷熱が伝達されることにより温度が低くなってしまう問題があった。このように高温度帯域の下部が局所的に低温になってしまうと、本来高温度帯域に陳列することが望ましい商品の一部が極度に冷却されてしまうこととなり、商品の損傷等を招来し好ましいものではない。
【０００７】
本発明は、上記実情に鑑みて、収納室における中間ダクトの上方域の下部が局所的に低温になってしまうことを抑制することができるショーケースを提供することを目的とする。
【課題を解決するための手段】
【０００８】
上記目的を達成するために、本発明に係るショーケースは、ケース本体の内部に形成され、かつ背面を構成する背面パネルに複数の孔部が形成された収納室と、前記ケース本体の内部に前記収納室と区画されて設けられ、吸い込まれた前記収納室の内部空気が自身に配設された冷却手段により冷却されて前記収納室に吹き出されることにより、前記収納室の前面にエアカーテンが形成される第１空気風路と、前記ケース本体の内部に前記収納室と区画されつつ前記第１空気風路と一部が共通する態様で設けられ、吸い込まれた前記収納室の内部空気が前記収納室に吹き出されることで、前記収納室の前面にエアカーテンが形成される第２空気風路と、前記第１空気風路を遮断する態様で前記背面パネルに形成された孔部を貫通して前記収納室に着脱可能に設けられ、かつ前記収納室に設けられた場合において前記冷却手段により冷却された空気が後端部に設けられた導入口より導入されて前端部に設けられた中間吹出口より吹き出されることにより、自身の下方域の前面にエアカーテンが形成される中間ダクトとを備え、前記収納室における前記中間ダクトの上方域と下方域とを異なる温度域とするショーケースにおいて、駆動することにより前記第２空気風路を通過する空気の一部を加熱する加熱手段と、駆動することにより前記加熱手段により加熱された空気の一部を、前記第１空気風路における前記中間ダクトに遮断された部位の下流側を通過させる態様で該中間ダクトに向けて送出する送出手段とを備えたことを特徴とする。
【０００９】
また本発明は、上記ショーケースにおいて、前記送出手段は、前記中間ダクトが前記収納室から離脱された場合において、前記第１空気通路及び前記第２空気通路での空気の通過を阻害しない態様で、予め決められた時間に間欠的に又は継続的に駆動することを特徴とする。
【発明の効果】
【００１０】
本発明によれば、加熱手段が、駆動することにより第２空気風路を通過する空気の一部を加熱し、送出手段が、駆動することにより加熱手段により加熱された空気の一部を、第１空気風路における中間ダクトに遮断された部位の下流側を通過させる態様で該中間ダクトに向けて送出するので、送出された空気が背面パネルの孔部より収納室に吹き出されることで該空気の熱と、中間ダクトの下方域からの冷熱とで熱交換させることができ、収納室における中間ダクトの上方域の下部が局所的に低温になってしまうことを抑制することができるという効果を奏する。
【図面の簡単な説明】
【００１１】
【図１】図１は、本発明の実施の形態であるショーケースの断面側面図である。
【図２】図２は、図１に示した中間ダクトが離脱された状態の断面側面図である。
【発明を実施するための形態】
【００１２】
以下に添付図面を参照して、本発明に係るショーケースの好適な実施の形態について詳細に説明する。
【００１３】
図１は、本発明の実施の形態であるショーケースの断面側面図である。ここで例示するショーケースは、ケース本体１０を備えている。
【００１４】
ケース本体１０は、前面に開口（以下、前面開口ともいう）１１が形成された略直方状の断熱筐体であり、その内部には収納室１２が形成されているとともに空気循環手段２０が設けられている。
【００１５】
収納室１２は、上記前面開口１１を臨む態様で形成された室であり、複数（図示の例では６つ）の商品陳列棚１３が上下方向に沿って複数段並べて配設されている。商品陳列棚１３は、それぞれ商品を載置して陳列するものである。
【００１６】
空気循環手段２０は、空気通路３０と循環ファン４０とを備えて構成されている。空気通路３０は、吸込口１４から吹出口１５に至る空気の通路である。ここで吸込口１４は、収納室１２の内部の空気を吸い込むための開口であり、左右方向に沿って延在するよう設けられた長尺状のものである。この吸込口１４は、収納室１２の下側前方縁部、すなわちケース本体１０の前面開口１１近傍の下部に設けられている。
【００１７】
吹出口１５は、収納室１２の内部に空気を吹き出すための開口である。この吹出口１５は、左右方向に沿って延在するよう設けられており、収納室１２の上側前方縁部、すなわちケース本体１０の前面開口１１近傍の上部に設けられている。
【００１８】
このような空気通路３０は、収納室１２の外部であってその下方にある下方ダクト３１と、収納室１２の外部であってその背面側にある背面ダクト３２と、収納室１２の外部であってその上方にある上方ダクト３３とを互いに連通した状態で構成されている。また、背面ダクト３２は、２つに分かれており、外方通路３２ａと内方通路３２ｂとが設けられている。内方通路３２ｂは、収納室１２の背面を構成する背面パネル１６で該収納室１２と区画されている。尚、背面パネル１６には、後述する中間ダクト５０を装着するための装着孔１７ａや、収納室１２と内方通路３２ｂとの通気を行うための通気孔１７ｂの複数の孔部１７が形成されている。
【００１９】
循環ファン４０は、空気を循環させるものであり、下方ダクト３１の所定部位に設けられている。本実施の形態では、循環ファン４０は、下方ダクト３１の所定部位に設けられているが、本発明では、循環ファン４０の配設位置は特に限定されるものではなく、後述する循環ファン４０の機能を発揮することができる個所であればどこに設けても構わない。
【００２０】
上記背面ダクト３２の内方通路３２ｂには、蒸発器（冷却手段）４１が設けられている。蒸発器４１は、図示せぬ圧縮機、凝縮器及び膨張機構と冷媒管路で接続されて冷媒を循環させる冷凍サイクルを構成する。圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせて、収納室１２の前面開口１１近傍にエアカーテンを形成するものである。
【００２１】
このような空気循環手段２０は、循環ファン４０が駆動することにより吸込口１４を通じて収納室１２の内部の空気を吸い込み、吸い込んだ空気が空気通路３０を通過する態様で吹出口１５まで送出し、吹出口１５を通じて収納室１２の内部に空気を吹き出すことにより、収納室１２の内部と外部との間で空気を循環させるものである。
【００２２】
蒸発器４１は、循環ファン４０が駆動することにより内方通路３２ｂを下方から上方に向けて通過する空気と、膨張機構で低温低圧の状態にされた冷媒とを熱交換させるもの、より詳細には、低温低圧の冷媒を蒸発させることにより内方通路３２ｂを通過する空気を冷却するものである。この蒸発器４１で蒸発した冷媒は、圧縮機に吸引されて冷凍サイクルを循環することになる。
【００２３】
このようなショーケースにおいては、中間ダクト５０、ヒータ（加熱手段）６０、送出ファン（送出手段）７０が設けられている。
【００２４】
中間ダクト５０は、全体として略平板状の形態を成している。この中間ダクト５０は、背面パネル１６の装着孔１７ａを貫通して後端部５１が内方通路３２ｂを遮断する態様で収納室１２に設けられており、より詳しくは、最上位から三段目の商品陳列棚１３（以下、対象商品陳列棚１３ともいう）の下部に設けられている。尚、中間ダクト５０は、収納室１２に対して着脱可能なものである。
【００２５】
かかる中間ダクト５０は、内部に風洞５２が設けられている。風洞５２は、前後方向に沿って延在するものであり、後端部５１に設けられた導入口５１ａ及び前端部５３に設けられた中間吹出口５３ａに連通している。導入口５１ａは、下方に向けて開口しており、内方通路３２ｂを通過する空気を導入するためのものである。中間吹出口５３ａは、前方側斜め下方に向けて開口しており、風洞５２を通過する空気を吹き出すためのものである。かかる中間ダクト５０の前端部５３は、対象商品陳列棚１３の前端部分よりも後方側に位置している。
【００２６】
ヒータ６０は、外方通路３２ａの上端部位、すなわち外方通路３２ａにおける空気流れの最も下流側に配設されている。ヒータ６０は、図示せぬ制御部から与えられる駆動指令によって駆動するものであり、駆動することで通電状態となって自身の周囲の空気、すなわち外方通路３２ａを通過する空気の一部を加熱するものである。
【００２７】
送出ファン７０は、外方通路３２ａと内方通路３２ｂとの合流個所となる背面ダクト３２の上側部位、すなわち背面ダクト３２と上方ダクト３３との連通部位に配設されている。送出ファン７０は、制御部から与えられる駆動指令によって駆動するものであり、駆動することで外方通路３２ａを通過した空気の一部を内方通路３２ｂに進入させるものである。より詳細に説明すると、送出ファン７０は、外方通路３２ａを通過した空気の一部を、内方通路３２ｂにおける中間ダクト５０に遮断された部位の上方側（下流側）を通過させる態様で該中間ダクト５０に向けて送出するものである。
【００２８】
以上のような構成を有するショーケースにおいては、圧縮機が駆動するともに循環ファン４０が駆動することにより、収納室１２の内部の空気が次のように循環する。
【００２９】
吸込口１４を通じて空気通路３０の下方ダクト３１に吸い込まれた収納室１２の内部の空気は、該下方ダクト３１を通過した後に、一部が外方通路３２ａを通過し、残りが内方通路３２ｂを通過する。
【００３０】
外方通路３２ａを通過する空気は、上方ダクト３３を流通して吹出口１５に至り、その後に該吹出口１５を通じて収納室１２に吹き出され、再び吸込口１４を通じて空気通路３０に吸い込まれることにより、収納室１２の内部と外部とを循環する。これにより、収納室１２の前面には、エアカーテンが形成される。
【００３１】
一方、内方通路３２ｂを通過する空気は、蒸発器４１で冷却される。蒸発器４１で冷却された空気は、導入口５１ａを通じて風洞５２に導入され、該風洞５２を通過し、中間吹出口５３ａを通じて吹き出され、再び吸込口１４を通じて空気通路３０に吸い込まれることにより、収納室１２の内部と外部とを循環する。これにより、収納室１２における中間ダクト５０の下方域の前面には、蒸発器４１で冷却された空気によるエアカーテンが形成される。
【００３２】
このようにして収納室１２の内部の空気を循環させることにより、吹出口１５より吹き出される空気により収納室１２の前面にエアカーテンを形成するので、前面開口１１を通じて収納室１２の内部に外気が侵入することを抑制できる。
【００３３】
また、中間吹出口５３ａより吹き出される空気（冷気）により中間ダクト５０の下方域の前面にエアカーテンが形成されるので、収納室１２における中間ダクト５０の下方域を、中間ダクト５０の上方域よりも冷却することができる。これにより、収納室１２における中間ダクト５０の上方域と下方域とを異なる温度帯にすることができ、収納室１２の商品を２つの温度に保持することができる。
【００３４】
また上記ショーケースにおいては、制御部からの駆動指令によりヒータ６０及び送出ファン７０が駆動することにより、外方通路３２ａを通過した空気の一部は、ヒータ６０により加熱され、かつヒータ６０により加熱された空気の一部は送出ファン７０により、内方通路３２ｂに進入する。内方通路３２ｂに進入した空気は、中間ダクト５０により遮断される部位に向けて下方に向けて通過し、中間ダクト５０の後端部５１に当接することで、その後に背面パネル１６に形成された孔部１７を通じて収納室１２に吹き出される。
【００３５】
以上説明したように、本実施の形態であるショーケースにおいては、下方ダクト３１、背面ダクト３２の内方通路３２ｂ及び上方ダクト３３が、ケース本体１０の内部に収納室１２と区画して設けられ、吸い込まれた収納室１２の内部空気を自身に配設された冷却手段で冷却して収納室１２に吹き出すことで、収納室１２の前面にエアカーテンを形成する第１空気風路を構成している。また、下方ダクト３１、背面ダクト３２の外方通路３２ａ及び上方ダクト３３が、ケース本体１０の内部に収納室１２と区画しつつ第１空気風路と一部が共通する態様で設けられ、吸い込まれた収納室１２の内部空気を収納室１２に吹き出すことで、収納室１２の前面にエアカーテンを形成する第２空気風路を構成している。
【００３６】
そして、本実施の形態であるショーケースによれば、ヒータ６０が駆動することにより外方通路３２ａを通過した空気の一部を加熱し、送出ファン７０が駆動することによりヒータ６０により加熱された空気の一部を、内方通路３２ｂにおける中間ダクト５０に遮断された部位の下流側を通過させる態様で該中間ダクト５０に向けて送出するので、送出された空気が背面パネル１６の孔部１７より収納室１２に吹き出されることで該空気の熱と、中間ダクト５０の下方域からの冷熱とで熱交換させることができ、収納室１２における中間ダクト５０の上方域の下部が局所的に低温になってしまうことを抑制することができる。
【００３７】
上記ショーケースによれば、ヒータ６０が、外方通路３２ａの上端部位（外方通路３２ａにおける空気流れの最も下流側となる部位）に設けられており、送出ファン７０が、外方通路３２ａと内方通路３２ｂとの合流個所となる背面ダクト３２の上側部位に設けられているので、中間ダクト５０がいずれの商品陳列棚１３の下部に設けても、ヒータ６０により加熱された空気を内方通路３２ｂにおける中間ダクト５０の後端部５１に向けて送出することができる。
【００３８】
ところで、上記ショーケースにおいては、図２に示すように、中間ダクト５０を前方に向けて引き出すことにより収納室１２から離脱させ、圧縮機及び循環ファン４０が駆動することにより、収納室１２の内部の空気が次のように循環する。尚、ヒータ６０は駆動を停止しているものとする。
【００３９】
吸込口１４を通じて空気通路３０の下方ダクト３１に吸い込まれた収納室１２の内部の空気は、該下方ダクト３１を通過した後に、一部が外方通路３２ａを通過し、残りが内方通路３２ｂを通過する。
【００４０】
外方通路３２ａを通過する空気は、上方ダクト３３を流通して吹出口１５に至り、その後に該吹出口１５を通じて収納室１２に吹き出され、再び吸込口１４を通じて空気通路３０に吸い込まれることにより、収納室１２の内部と外部とを循環する。これにより、収納室１２の前面には、エアカーテンが形成される。
【００４１】
一方、内方通路３２ｂを通過する空気は、蒸発器４１で冷却される。蒸発器４１で冷却された空気は、上方ダクト３３を流通して吹出口１５に至り、その後に該吹出口１５を通じて収納室１２に吹き出され、再び吸込口１４を通じて空気通路３０に吸い込まれることにより、収納室１２の内部と外部とを循環する。これにより、収納室１２の前面には、エアカーテンが形成される。
【００４２】
このようにして収納室１２の内部の空気を循環させることにより、吹出口１５より吹き出される空気により収納室１２の前面にエアカーテンを形成するので、前面開口１１を通じて収納室１２の内部に外気が侵入することを抑制することができるとともに、収納室１２の商品を冷却することができる。これにより、収納室１２の内部を１つの温度帯にすることができ、収納室１２の商品を１つの温度に保持することができる。
【００４３】
このようなショーケースにおいては、中間ダクト５０が収納室１２から離脱されて収納室１２の内部を１つの温度帯にする場合、次のようにすることもできる。すなわち、例えば、蒸発器４１に付着した霜を取り除く除霜運転等を行う場合に、外方通路３２ａ及び内方通路３２ｂでの空気の通過を阻害しない態様で、予め決められた所定時間に送出ファン７０を間欠的に駆動させることが好ましい。
【００４４】
これによれば、収納室１２の内部を異なる温度帯にすることが長期間行われないことになっても、送出ファン７０が駆動停止の状態に長期間維持されてしまうことを防止できる。これにより、送出ファン７０を駆動させるために内蔵されるオイルが固まってしまうことを抑制でき、送出ファン７０の動作不良を招来することを回避することができる。
【００４５】
以上、本発明の好適な実施の形態について説明したが、本発明はこれに限定されるものではなく、種々の変更を行うことができる。
【００４６】
上述した実施の形態では、背面ダクト３２の外方通路３２ａは、内方通路３２ｂの後方側に位置しているが、本発明においては、外方通路は、内方通路の左右側に設けられていてもよい。
【００４７】
上述した実施の形態では、中間ダクト５０が収納室１２から離脱されて収納室１２の内部を１つの温度帯にする場合、除霜運転中の所定時間に送出ファン７０を間欠的に駆動させることを述べたが、本発明においては、送出手段を継続的に駆動させてもよいし、着霜運転中の所定時間だけに限られず、収納室の内部を１つの温度帯にする場合に送出手段を継続的に駆動させてもよい。これらによっても、送出手段の動作不良を招来することを回避することができる。
【００４８】
上述した実施の形態では、送出ファン７０の数については明示されていないが、本発明においては、左右方向に沿って所定間隔毎に複数（例えば５個）設けられていてもよい。そして、これら５個のうち、例えば２個は、実施の形態と同様に吹出方向が後方に向かうよう配置され、駆動する場合に、外方通路３２ａを通過した空気を内方通路３２ｂに進入させるものである。残りの例えば３個は、上記２個とはことなり吹出方向が前方に向かうよう配置され、駆動する場合に、外方通路３２ａを通過した空気を上方ダクト３３に進入させるものであることが好ましい。
【００４９】
このような構成によれば、収納室１２から中間ダクト５０を離脱させて収納室１２の内部を１つの温度帯に調整する場合には、送出ファン７０のうち吹出方向が前方に向かう３個を駆動させることで、循環ファン４０の駆動により外方通路３２ａを通過した空気を上方ダクト３３に進入させて、吹出口１５より収納室１２に吹き出させるようにして循環ファン４０の補助としての機能を奏することができる。
【００５０】
その一方、上述した実施の形態と同様に中間ダクト５０を設置して収納室１２を２つの異なる温度帯に調整する場合には、送出ファン７０のうち吹出方向が後方に向かう２個を駆動させることで、循環ファン４０の駆動により外方通路３２ａを通過した空気を内方通路３２ｂに進入させることができる。
【符号の説明】
【００５１】
１０  ケース本体
１１  前面開口
１２  収納室
１３  商品陳列棚
３０  空気通路
３１  下方ダクト
３２  背面ダクト
３２ａ  外方通路
３２ｂ  内方通路
３３  上方ダクト
４０  循環ファン
４１  蒸発器
５０  中間ダクト
６０  ヒータ
７０  送出ファン
【図１】
2017129345.tif 000003
【図２】
2017129345.tif 000004